(57)【要約】【課題】患者の歯へのブラケットの装着を適正に行い、トランスファートレーを除去する際にブラケットが歯から脱離するおそれのない歯科矯正の間接法におけるトランスファートレーを提供する。【解決手段】歯型模型１の咬合面を上下別々に被覆する被覆材２と、柔軟性を有する透明のシリコーンからなり、上下のいずれかの歯または歯列に装着されるブラケット３及び被覆材２の一部を被覆する１次コア４と、透明のシリコーンからなり、被覆材２及び１次コア４を被覆する２次コア５と、１次コア４のブラケット３を装着した側の面と、２次コア５の表面とを貫通する遁路６とを備えるトランスファートレー７。奥歯などを矯正する場合には、被覆材２の表面に突起部２ａを立設して２次コア５と接着することが好ましい。【選択図】　図６
0003097069.tif 000002
【実用新案登録請求の範囲】
【請求項１】
歯型模型の咬合面を上下別々に被覆する被覆材と、
柔軟性を有する透明のシリコーンからなり、上下のいずれかの歯または歯列に装着されるブラケット及び前記被覆材の一部を被覆する１次コアと、
透明のシリコーンからなり、前記被覆材及び１次コアを被覆する２次コアと、
前記１次コアのブラケットを装着した側の面と、前記２次コアの表面とを貫通する遁路とを備えることを特徴とする歯科矯正の間接法におけるブラケットのトランスファートレー。
【請求項２】
前記被覆材の表面に突起部を立設し、該突起部及び／またはその周辺部に接着剤を塗布し、前記２次コアと接着することを特徴とする請求項１記載の歯科矯正の間接法におけるブラケットのトランスファートレー。
【考案の詳細な説明】
【０００１】
【考案の属する技術分野】
本考案は、歯科矯正の間接法におけるブラケットのトランスファートレーに関し、特に、歯科矯正のためのブラケットを患者の歯へ適正に装着することができるとともに、トランスファートレーを除去する際にブラケットが歯から脱離することを防止したトランスファートレーに関する。
【０００２】
【従来の技術】
従来、歯科矯正を行うにあたって、金属製などの歯科矯正用ブラケットを患者の歯に接着剤で接着し、このブラケットに細いワイヤーを引っ掛けて外力を加え、矯正を要する歯を適正な位置に移動させていた。ここで、ブラケットを患者の歯に装着するにあたって、患者の歯に直接装着する直接法が用いられていた。
【０００３】
しかし、直接法によると、全歯牙にブラケットを装着するには長時間以上を要し、この作業に伴う歯科医の負担とともに、患者の負担が大きなものとなっていた。
【０００４】
そこで、歯科医及び患者の負担を軽減するため、間接法が開発された。この方法によれば、ブラケットを患者の口腔模型（以下、「作業用模型」という）の上で、本来患者の歯列上に装着されるべき位置に仮に接着し、この状態のブラケットを患者の口腔内に適正に移動させるため、トランスファートレーにブラケットを埋め込んだ状態で患者の口腔内に移動させる。これによって、患者が不在であっても、作業用模型上で作業を行うことができるとともに、患者の口腔内へのブラケットの装着を短時間で行うことができ、歯科医及び患者の負担を大幅に軽減することができる。
【０００５】
【考案が解決しようとする課題】
上記間接法においては、作業用模型上に仮に接着されているブラケットをトランスファートレーとともに簡単に取り外すことができ、トランスファートレーを患者の口腔内に移した時にトランスファートレーがブラケットから簡単に外れ、ブラケットを患者の歯列上に正確に接着することができるようにすることが重要である。しかし、従来の技術では、患者の歯へのブラケットの装着が適正に行われなかったり、トランスファートレーを除去する際にブラケットが歯から脱離するおそれがあった。
【０００６】
そこで、本考案は、上記従来のトランスファートレーにおける問題点に鑑みてなされたものであって、患者の歯へのブラケットの装着を適正に行うことができ、トランスファートレーを除去する際にブラケットが歯から脱離するおそれのないトランスファートレーを提供することを目的とする。
【０００７】
【課題を解決するための手段】
上記目的を達成するため、本考案は、歯科矯正の間接法におけるブラケットのトランスファートレーであって、歯型模型の咬合面を上下別々に被覆する被覆材と、柔軟性を有する透明のシリコーンからなり、上下のいずれかの歯または歯列に装着されるブラケット及び前記被覆材の一部を被覆する１次コアと、透明のシリコーンからなり、前記被覆材及び１次コアを被覆する２次コアと、前記１次コアのブラケットを装着した側の面と、前記２次コアの表面とを貫通する遁路とを備えることことを特徴とする。
【０００８】
そして、本考案によれば、トランスファートレーを、被覆材と、柔軟性を有する透明のシリコーンからなる１次コアと、透明のシリコーンからなる２次コアの三重構造としたため、ブラケットの患者の歯への装着を適正に行うことができ、トランスファートレーを除去する際にも、ブラケットが歯から脱離することを防止することができる。さらに、１次コア及び２次コアが透明であるため、何らかの理由で被覆材の中でブラケットに異常が発生した場合でも、患者の歯面への接着にあたって、事前に確認することができる。
【０００９】
また、１次コアのブラケットを装着した側の面と、２次コアの表面とを貫通する複数の遁路を備えるため、患者の歯にブラケットを装着したときに余剰レジンを排出することができ、ブラケットの浮き上がりを防止して作業模型上で行ったブラケットの位置決めを患者の口腔内より正確に再現することができる。
【００１０】
前記被覆材の表面に突起部を立設し、該突起部及び／またはその周辺部に接着剤を塗布し、前記２次コアと接着することもできる。これによって、奥歯１本のみについて間接法によって歯科矯正する際に、透明な一次コア及び２次コアの部分が回転することを防止し、ブラケットの患者の歯への装着などを適正に行うことができる。
【００１１】
【考案の実施の形態】
本考案にかかる歯科矯正の間接法におけるブラケットのトランスファートレーは、被覆材としてのオクルーザルストッパーと、１次コアと、２次コアの三重構造であることを特徴としている。
【００１２】
本考案にかかるトランスファートレーの製作手順について、図面を参照しながら説明する。
【００１３】
まず、患者の口腔内の印象を採得し、石膏を使用して作業用模型を作成する。次に、図１に示すように、熱可塑性樹脂２を患者の口の作業用模型１の咬合面に上下別々に熱を加えて柔らかくして被せる。この熱可塑性樹脂２は、被覆材としてのオクルーザルストッパーとなる。このオクルーザルストッパーを設ける目的は、コア自体を強固にするとともに、圧接時の垂直歪み、コア自体の捻れ、撓みを防止するためである。尚、熱可塑性樹脂の代わりに、光硬化樹脂などを用いることもできる。
【００１４】
そして、オクルーザルストッパー２を作業用模型から取り外し、図２に示すように、ブラケット３を水溶性の仮着材または光重合剤を用いて作業用模型１の上に仮に接着する。水溶性の仮着材には、水溶性糊を使用することができる。ブラケット３を作業用模型１から取り外すときは、水溶性仮着材は、作業用模型１を水の中に漬けると半日程度で水溶性の糊が軟化するため、ブラケット３を容易に取り外すことができる。尚、光重合剤は、可視光線を照射すると硬化する歯科用の光重合レジンであって、作業用模型１を水に濡らさないようにする際などに使用する。この光重合レジンは、薄膜であるため、ピンセットなどの先端で突っつくことによって簡単に割れ、容易に剥がすことができる。
【００１５】
ブラケット３の仮着材が硬化した後、オクルーザルストッパー２を作業用模型１に再度装着する。このオクルーザルストッパー２は、作業用模型１上でのブラケット３の位置決めを、患者の口腔内でより正確に再現するために使用する。
【００１６】
次に、図３に示すように、エミルマ（柔軟性のある透明なシリコーン印象材）４をブラケット３の咬合面寄りから流し、ブラケット３及びオクルーザルストッパー２を被覆する。尚、同図は、歯列の横断面を描いているが、エミルマ４でブラケット３及びオクルーザルストッパー２を被覆する。この透明なエミルマ４が１次コアとなる。不透明なシリコーン印象材を用いると、作業用模型に被せた際に型の中が見えないため、透明なシリコーン印象材を用いる。このエミルマ４は、作業用模型１からブラケット３を外す時にブラケット３を保持する力はあるが、患者の口腔内に移動して歯に接着した後は、容易に除去することができる。
【００１７】
次に、図４に示すように、透明なシリコーン板５を加熱して軟化させた後、軟化したシリコーン板５でオクルーザルストッパー２及び１次コア４を被覆する。尚、同図は、歯列の横断面を描いているが、歯列全体にわたってシリコーン板５でオクルーザルストッパー２及び１次コア４を被覆する。このシリコーン板５が２次コア５となる。柔軟性のある透明なシリコーン印象材としての１次コア４だけでは、ブラケット３の保持力が弱いため、１次コア４を２次コア５で被覆する。２次コア５を透明とする理由は、上記シリコーン印象材の場合と同様である。
【００１８】
２次コア５の形態を修正した後、図５に示すように、１次コア４のブラケット３を装着した側の面と、２次コア５の表面を貫通するように複数の遁路６を穿設する。この複数の遁路６は、患者の歯にブラケット３を装着したときに余剰レジンを排出するためものである。
【００１９】
作業用模型１を水に浸した後、ブラケット３と一体化されたトランスファートレー（オクルーザルストッパー２、１次コア４、２次コア５が一体となったもの）を作業用模型１より取り外し、図６に示すように、トランスファートレー７が完成する。
【００２０】
次に、上記トランスファートレー７を用いた患者へのブラケット３の装着手順について説明する。
【００２１】
患者の歯の歯面の研磨、水洗、乾燥を行った後、歯面のエッチングを行う。エッチング後、歯面を乾燥させ、化学重合用ボンディング剤のプライマーをブラケットベースに塗布する。また、ボンディングを行うすべての歯面にもプライマーを塗布する。
【００２２】
プライマーが塗布されたブラケットベースにボンディングペーストを塗り、トランスファートレー７を患者の歯列に装着する。そして、トランスファートレー７を上下方向に強固に圧接させた後、ブラケット３の表面に対して垂直方向に圧接して保持する。このとき、オクルーザルストッパー２によって、接着操作の時点で患者の口の中で力を加える時に、垂直的歪み圧を吸収し、コア自体を補強することにより捻れ、撓みの発生を防止することができる。
【００２３】
ボンディングペーストが硬化した後、スケーラなどを用いて２次コア５を除去し、次に、オクルーザルストッパー２と１次コア４を取り外す。最後に、余剰レジンを除去してブラケット３の装着が完了する。
【００２４】
尚、上記実施の形態においては、複数の歯を備えた歯列に本考案にかかるトランスファートレーを適用した場合について説明したが、奥歯１本のみについても同様の構成にて対処することができる。但し、この場合には、透明な一次コア４及び２次コア５の部分が回転し易いため、図７に示すように、オクルーザルストッパー２の上にさらにプラスチックを少量盛って突起部２ａを形成し、突起部２ａ及び／またはその周辺部に接着剤を塗布して２次コア５と接着する。
【００２５】
【考案の効果】
以上説明したように、本考案にかかるブラケットのトランスファートレーによれば、歯科矯正のためのブラケットを患者の歯へ適正に装着することができるとともに、トランスファートレーを除去する際にブラケットが歯から脱離することを防止することができる。
【図面の簡単な説明】
【図１】本考案にかかるトランスファートレーのオクルーザルストッパーを示す概略斜視図である。
【図２】間接法において、ブラケットを水溶性の仮着材または光重合剤を用いて作業用模型の上に仮に接着した状態を示す概略斜視図である。
【図３】本考案にかかるトランスファートレーの１次コアによって、ブラケット及びオクルーザルストッパーを被覆した状態を示す横断面図である。
【図４】本考案にかかるトランスファートレーの２次コアによって、ブラケット、オクルーザルストッパー及び１次コアを被覆した状態を示す横断面図である。
【図５】本考案にかかるトランスファートレーに複数の遁路を穿設した状態を示す横断面図である。
【図６】本考案にかかるトランスファートレーを示す横断面図である。
【図７】奥歯などの矯正に用いる本考案にかかるトランスファートレーを示す横断面図である。
【符号の説明】
１　　　　　　作業用模型
２　　　　　　オクルーザルストッパー
２ａ　　　　突起部
３　　　　　　ブラケット
４　　　　　　１次コア（エミルマ、柔軟性のある透明なシリコーン印象材）
５　　　　　　２次コア（透明なシリコーン板）
６　　　　　　遁路
７　　　　　　トランスファートレー
【図１】
0003097069.tif 000003
【図２】
0003097069.tif 000004
【図３】
0003097069.tif 000005
【図４】
0003097069.tif 000006
【図５】
0003097069.tif 000007
【図６】
0003097069.tif 000008
【図７】
0003097069.tif 000009